(57)【要約】【課題】複数の粘着ラベルを複数の被着体に貼る作業時間を短縮することを目的とする。【解決手段】一実施形態に係るラベルキットは、ライナーと該ライナー上に付着された粘着シートとを備えるラベルシートであって、該粘着シートが複数の粘着ラベルと余白部とを有し、該複数の粘着ラベルが複数の列に配置された、該ラベルシートと、複数の粘着ラベルに対応して配置された複数の被着体を有する被着体集合とを備える。ライナーは、該ライナーの他の部分から分離してラベルシートから剥離することが可能な第１剥離領域を備える。第１剥離領域は、複数の列のうち隣接する少なくとも２列に跨り、かつ該少なくとも２列内の各粘着ラベルの一部のみと重なる。余白部は、少なくとも２列に跨がる領域において連続する部分を有する。【選択図】図１
2018105933.tif 000002
【特許請求の範囲】
【請求項１】
ライナーと該ライナー上に付着された粘着シートとを備えるラベルシートであって、該粘着シートが複数の粘着ラベルと余白部とを有し、該複数の粘着ラベルが複数の列に配置された、該ラベルシートと、
前記複数の粘着ラベルに対応して配置された複数の被着体を有する被着体集合と
を備え、
前記ライナーが、該ライナーの他の部分から分離して前記ラベルシートから剥離することが可能な第１剥離領域を備え、
前記第１剥離領域が、前記複数の列のうち隣接する少なくとも２列に跨り、かつ該少なくとも２列内の各粘着ラベルの一部のみと重なり、
前記余白部が、前記少なくとも２列に跨がる領域において連続する部分を有する、
ラベルキット。
【請求項２】
複数の列跨ぎ領域のそれぞれに対応して前記第１剥離領域が位置する、
請求項１に記載のラベルキット。
【請求項３】
前記第１剥離領域が前記ライナーの第１外縁から第２外縁にほぼわたって延びる、
請求項１または２に記載のラベルキット。
【請求項４】
前記第１剥離領域の第１端および第２端が前記ライナーの前記第１外縁および前記第２外縁とそれぞれ重なり、これにより、前記第１剥離領域が該第１外縁から該第２外縁にわたって延びる、
請求項３に記載のラベルキット。
【発明の詳細な説明】
【技術分野】
【０００１】
本発明の一側面は、任意の情報を伝える表示具を提供するためのラベルキットに関する。
【背景技術】
【０００２】
従来から、任意の情報を伝えるための粘着ラベルが知られており、複数の粘着ラベルを１枚のシート上に並べた態様で提供されるラベルシートについても様々な製品が存在する。このような従来のラベルシートは、粘着ラベルを１枚ずつライナーから剥がして使うものであり、その剥離を容易にするために様々な工夫がなされている。
【０００３】
例えば下記特許文献１には、容易にラベルを取り外すことが可能なラベルアセンブリが記載されている。このラベルアセンブリは、表主面および裏主面を有するキャリアシートと、その表主面に取り外し可能に付着されるラベルストックシートとを備える。キャリアシートは、少なくとも一つのライナーセグメントと一つ以上のキャリアストリップセグメントとを備える２つ以上のセグメントで構成される。ラベルストックシートは、一つ以上のラベルと一つ以上のストリップまたはフレームとを備える一つ以上のセグメントで構成される。キャリアストリップセグメントは一つ以上のラベルの縁部と重なり合う。
【先行技術文献】
【特許文献】
【０００４】
【特許文献１】特表２０１４−５１８４０６号公報
【発明の概要】
【発明が解決しようとする課題】
【０００５】
粘着ラベルの利用の一例として、粘着ラベルを被着体に貼ることで得られる表示具が挙げられる。表示具の一例は、粘着ラベルをマグネットシートに貼ることで得られるマグネットラベルであり、このマグネットラベルは所望の物（例えばスチール棚）に取り付けられる。場合によっては、ユーザは多数の表示具を作成するために粘着ラベルを被着体に貼る作業を繰り返し行う必要があり、このときに粘着ラベルを１枚ずつ剥がしながら表示具を作成するのには多くの時間が掛かってしまう。
【０００６】
そのため、複数の粘着ラベルを複数の被着体に貼る作業時間を短縮することが望まれている。
【課題を解決するための手段】
【０００７】
本発明の一側面に係るラベルキットは、ライナーと該ライナー上に付着された粘着シートとを備えるラベルシートであって、該粘着シートが複数の粘着ラベルと余白部とを有し、該複数の粘着ラベルが複数の列に配置された、該ラベルシートと、複数の粘着ラベルに対応して配置された複数の被着体を有する被着体集合とを備え、ライナーが、該ライナーの他の部分から分離してラベルシートから剥離することが可能な第１剥離領域を備え、第１剥離領域が、複数の列のうち隣接する少なくとも２列に跨り、かつ該少なくとも２列内の各粘着ラベルの一部のみと重なり、余白部が、少なくとも２列に跨がる領域において連続する部分を有する。
【０００８】
このような側面においては、隣接する少なくとも２列を跨ぐ第１剥離領域を剥がすことで、該少なくとも２列にある複数の被着体のそれぞれについて粘着層が一部のみ露出する。粘着ラベルの配置は被着体の配置に対応するので、第１剥離領域が剥がされたラベルシートを各粘着ラベルが各被着体と重なるように被着体集合に貼る（仮貼りする）ことで、個々の粘着ラベルの位置合わせが完了する。ここで、第１剥離領域を剥がしただけでは、粘着面の全体が露出する粘着ラベルは存在しないので、ラベルシートを被着体集合に仮貼りした際に粘着ラベルがラベルシートから離れない。また、余白部が該少なくとも２列に跨がる領域において連続するので、第１剥離領域を剥がしても該少なくとも２列がバラバラにならず、したがって、複数の粘着ラベルを一体的に取り扱うことができる。したがって、すべての粘着ラベルを対応する被着体に確実に貼ることができる。ラベルシートを被着体集合に仮貼りした後は、ライナーの他の部分を剥がしながら粘着ラベルの集合を被着体集合に貼ればよい。このように、上記のラベルキットを用いることで、粘着ラベルを１枚ずつ剥がすことなく複数の粘着ラベルを一度に（すなわち短時間で）複数の被着体に貼ることができる。
【発明の効果】
【０００９】
本発明の一側面によれば、複数の粘着ラベルを複数の被着体に貼る作業時間を短縮することができる。
【図面の簡単な説明】
【００１０】
【図１】実施形態に係るラベルキットの斜視図である。
【図２】実施形態に係るラベルシートの正面図である。
【図３】実施形態に係るラベルシートの背面図である。
【図４】図２のＩＶ−ＩＶ線断面図である。
【図５】実施形態に係るラベルキットの使用方法（被着体集合への粘着シートの貼り付け）を示す図である。
【図６】実施形態に係るラベルキットの使用方法（表示具の切り抜き）を示す図である。
【図７】（ａ）〜（ｄ）は、様々な変形例に係るラベルシートの背面図である。
【図８】（ａ）〜（ｃ）は、様々な変形例に係るラベルシートの正面図である。
【発明を実施するための形態】
【００１１】
以下、添付図面を参照しながら本発明の実施形態を詳細に説明する。なお、図面の説明において同一または同等の要素には同一の符号を付し、重複する説明を省略する。
【００１２】
図１〜図４を参照しながら、実施形態に係るラベルキット１の構造を説明する。図１はラベルキットの斜視図であり、図２および図３はそれぞれラベルシートの正面図および背面図である。図４は図２のＩＶ−ＩＶ線断面図である。
【００１３】
ラベルキット１は、任意の情報を伝える表示具を提供するための物品である。図１に示すように、ラベルキット１は、複数の粘着ラベル１１および余白部１１ａを備えるラベルシート２と、複数の被着体３１を備える被着体集合３とを備える。
【００１４】
「表示具」とは、視覚または触覚を介して認識可能な任意の情報を伝えるための機能を有する物品である。本実施形態では、粘着ラベルを被着体に貼ることで表示具が得られる。情報は粘着ラベル上に表示される。
【００１５】
「粘着ラベル」とは、任意の情報を表示可能な表面（おもてめん）と粘着層が形成された裏面とを備えるシート状の部材である。粘着ラベル上に表現される情報の種類および内容は何ら限定されず、その情報は例えば任意の文字、記号、または図形で表現されてもよいし、これらの表現方法の任意の組合せで表現されてもよい。情報を粘着ラベル上に表示する手法も何ら限定されないが、その手法の例として書き込み、描画、印刷、着色、転写、およびエンボス加工が挙げられる。これらの手法は人手で為されてもよいし、プリンタなどの機械で実行されてもよい。
【００１６】
一般に粘着ラベルは任意の被着体に貼ることができる。しかし、本実施形態では、用意された被着体３１に粘着ラベル１１が貼られることで表示具が得られ、この表示具が任意の有体物に取り付けられることを想定する。
【００１７】
ラベルシート２は、複数の粘着ラベル１１および余白部１１ａが形成された粘着シート１０と、この粘着シート１０の粘着層１２（図４参照）を保護するライナー２０とを備えるシートである。図２および図３に示すように、本実施形態ではラベルシート２および各粘着ラベル１１が矩形であり余白部１１ａが格子形状であるが、ラベルシートおよび個々の粘着ラベルの形状は限定されない。例えば、ラベルシートの形状と個々の粘着ラベルの形状とが互いに異なってもよいし、複数の粘着ラベルの間で形状が異なってもよい。また、ラベルシート２および個々の粘着ラベル１１の寸法も限定されない。例えば、ラベルシート２の大きさはＡ４サイズまたはレターサイズであってもよい。
【００１８】
粘着シート１０およびライナー２０の基材の材料は、粘着加工または剥離加工が可能であれば限定されないが、例えば紙、紙複合材料、プラスチック、布地、非金属シート材料、または金属シート材料であってもよい。粘着シート１０およびライナー２０の材料は同じでもよいし互いに異なってもよい。これらの材料は、筆記具または撮像材料との相性、柔軟性、伸び率、弾性などの様々な要因を考慮して決められてもよく、粘着層１２側の面とは反対の面にインク受容層などが設けられてもよい。粘着層１２の材料も限定されないが、例えば、再付着性があり、粘着ラベルを恒久的に接着させる一方で剥がすことが可能な粘着層が用いられてもよい。粘着層１２の具体例として、アクリル系粘着剤、シリコン系粘着剤、天然ゴム系粘着剤、合成ゴム系粘着剤、またはウレタン系粘着剤のような粘着剤が挙げられる。
【００１９】
粘着シート１０は、ライナー２０上に付着されるシート状の部材であり、複数の粘着ラベル１１および余白部１１ａを有する。粘着シート１０内の各粘着ラベル１１の外縁（切れ目）はキスカットにより形成され、その切れ目はライナー２０には至らない。したがって、個々の粘着ラベル１１を粘着シート１０から切り抜くことができる。本実施形態では、隣接する任意の二つの粘着ラベル１１が離れている。余白部１１ａは、粘着シート１０のうち粘着ラベル１１以外の部分である。本実施形態では、余白部１１ａは、粘着シート１０の外縁部と、隣接する粘着ラベル１１の間の領域とに形成される。図４に示すように、粘着シート１０の裏面の全体には粘着層１２が形成され、粘着シート１０は、その裏面がライナー２０の表面に貼られたかたちで、取り外し可能にライナー２０に付着される。したがって、当然ながら、個々の粘着ラベル１１および余白部１１ａは取り外し可能にライナー２０に付着される。
【００２０】
ラベルシート２（粘着シート１０）では複数の粘着ラベル１１が複数の列に配置される。「列」とは、ラベルシート２（粘着シート１０）をある特定の方向に置いたときの、１以上の粘着ラベルの縦の並びである。本明細書では、一つの列において１以上の粘着ラベルが並ぶ方向を「長手方向」という。ラベルシート２は複数の列を含むので、ラベルシート２を該特定の方向に置いたときには、横方向に沿って２以上の列が並ぶ。ここで、「横方向」とは、列の長手方向と直交またはほぼ直交する方向であり、本明細書ではその横方向を「幅方向」という。
【００２１】
被着体集合３は複数の被着体３１のセットである。「被着体」とは、粘着ラベル１１が直接に貼られる対象物である。本実施形態では被着体３１はシート状のマグネットであるが、被着体そのものの種類および機能は限定されない。被着体の形状および寸法も限定されないが、少なくとも、個々の粘着ラベル１１の全体または大部分が、対応する被着体３１上に載ることができるように、設計される。被着体集合３の形状および寸法も限定されない。例えば、粘着シート１０が貼られる被着体集合３の面の形状および寸法が該ラベルシートと実質的に同じであってもよく、この場合には、ユーザは被着体集合３に対してラベルシート２を簡単に位置合わせすることができる。また、個々の粘着ラベル１１の寸法が、対応する被着体３１よりもやや小さくてもよく、この場合には、被着体集合３にラベルシート２を位置合わせして貼り合わせる際の位置の誤差およびずれを吸収して、個々の被着体３１の縁から粘着ラベル１１がはみ出ることを予防できる。個々の被着体３１の縁の少なくとも一部（例えば、縁の大部分）には、被着体集合３からの切り抜きが容易に行えるように切れ目、ミシン目などが形成される。
【００２２】
複数の被着体３１の配置は、ラベルシート２（粘着シート１０）に形成された複数の粘着ラベル１１の配置に対応する。これは、ラベルシート２（粘着シート１０）を被着体集合３に重ねたときに個々の粘着ラベル１１が個々の被着体３１上に完全にまたは実質的に位置することが可能であることを意味する。「個々の粘着ラベル１１が個々の被着体３１上に完全に位置する」とは、各粘着ラベル１１の全体が対応の被着体３１上に位置するように粘着ラベル１１の配置と被着体３１の配置とが調整されていることを意味する。「個々の粘着ラベル１１が個々の被着体３１上に実質的に位置する」とは、各粘着ラベル１１のほぼ全体が対応の被着体３１上に位置するように粘着ラベル１１の配置と被着体３１の配置とが調整されていることを意味する。したがって、粘着ラベル１１の一部（例えば若干の部分）が被着体３１からはみ出てもよい。本実施形態では隣接する任意の二つの被着体３１が離れているが、隣接する二つの被着体３１が接してもよい。
【００２３】
ラベルキット１の特徴は、被着体集合３を構成する複数の被着体３１のそれぞれに粘着ラベル１１を短時間で貼ることを可能にする構造である。その簡単な貼り付けを実現するために、ライナー２０は少なくとも一つの第１剥離領域２１を備える。
【００２４】
第１剥離領域２１はライナー２０の一部であり、ライナー２０の他の部分から分離してラベルシート２から剥離することが可能な部分である。図２および図３に示すように、第１剥離領域２１は、粘着ラベル１１の複数の列のうち隣接する２列に跨り、かつ、該２列内の各粘着ラベル１１の一部のみと重なる。言い換えると、長手方向に沿って延びる第１剥離領域２１の縁（本明細書ではこれを「側縁」という）２１ｃ，２１ｄはそれぞれ、その２列を構成する各粘着ラベル１１の縁よりも内側を通る。すなわち、側縁２１ｃは、その２列のうちの一方の列内に存在する各粘着ラベル１１の上を通り、側縁２１ｄは、他方の列内に存在する各粘着ラベル１１の上を通る。したがって、ある一つの第１剥離領域２１を剥がした場合には、該第１剥離領域２１と重なっていた２列の各粘着ラベル１１の粘着層１２の一部のみが露出する。図２および図３に示すラベルシート２は、列１３および列１４に跨がる第１剥離領域２１と、列１４および列１５に跨がる第１剥離領域２１とを備える。第１剥離領域２１の幅方向に沿った、第１剥離領域２１と一つの粘着ラベル１１との重畳部分の長さは限定されないが、例えば１ｍｍ、３ｍｍ、５ｍｍ、または１０ｍｍでもよい。
【００２５】
第１剥離領域２１は対応する２列の長手方向に沿って延びる。より具体的には、長手方向における第１剥離領域２１の両端がライナー２０の外縁と重なり、したがって、第１剥離領域２１はライナーの端から端まで延びる。図３の例では、第１剥離領域２１の第１端２１ａが、ライナー２０の外縁の第１部分である第１外縁２２と重なり、第１剥離領域２１の第２端２１ｂが、ライナー２０の外縁の第２部分である第２外縁２３と重なる。したがって、第１剥離領域２１は第１外縁２２から第２外縁２３にわたって延びる。
【００２６】
ライナー２０における第１剥離領域２１の境界（図３の例では側縁２１ｃ，２１ｄ）は分離線として形成される。例えば、この分離線はキスカットなどの手法による切れ目であり、粘着シート１０には至らない。分離線はスリット（実線のように連続した切れ目）であってもよいし、ミシン目（断続的な切れ目）であってもよい。側縁２１ｃ，２１ｄの分離線は、ライナー２０をその箇所で折り曲げることで粘着ラベル１１を剥がしやすくするための構造ではなく、第１剥離領域２１をライナー２０から除去することで粘着ラベル１１の粘着層１２の一部を露出させるための構造である。
【００２７】
本明細書では、ライナー２０のうち少なくとも一つの第１剥離領域２１以外の領域を第２剥離領域という。第１剥離領域と同様に、第２剥離領域も、ライナーの他の部分から分離してラベルシート２から剥離することが可能な部分である。図２および図３に示すラベルシート２は、列１３にのみ重なる外側の第２剥離領域２４と、列１５にのみ重なる外側の第２剥離領域２４とを備える。このように、第２剥離領域２４は、粘着ラベルの一つの列にのみ重なる領域である。なお、列１３および列１４を跨ぐ第１剥離領域２１と、列１４および列１５を跨ぐ第１剥離領域２１とが離間し、これら二つの第１剥離領域２１に挟まれる位置に、列１４にのみ重なる第２剥離領域２４が配置されてもよい。
【００２８】
余白部１１ａは、粘着ラベル１１の２列を跨ぐ領域において連続する部分を少なくとも一つ有する。この連続部分は、余白部１１ａのうち、第１剥離領域２１と重なり且つ該第１剥離領域２１と同じ幅を有する部分である。余白部１１ａがこの連続部分を有することで、第１剥離領域２１を除去した後も、その第１剥離領域２１に対応する２列の粘着ラベル１１が分離することなく一体であり続ける。したがって、被着体集合３に対してすべての粘着ラベル１１（ラベルシート２の全体）を一体的に位置合わせすることができる。
【００２９】
次に、図５および図６を参照しながら、ラベルキット１の使用方法について説明する。図５は被着体集合３への粘着シート１０の貼り付けを示す図であり、図６は表示具４０の切り抜きを示す図である。
【００３０】
ユーザはラベルキット１を用意する。必要であれば、ユーザはまず、粘着ラベル１１上に情報を表示させるための処理（例えば印刷または記入）を行う。もちろん、粘着ラベル１１上に情報を表示させるタイミングは何ら限定されない。例えば、ユーザは、ラベルシート２を被着体集合３に貼る前にそのラベルシート２上に（具体的には、個々の粘着ラベル１１上に）情報を印刷してもよい。あるいは、ユーザは、後述する表示具４０（粘着ラベル１１が貼られた被着体３１）を被着体集合３から切り抜いた後に、その表示具４０上に情報を表示させてもよい。
【００３１】
続いて、ユーザは図５に示す一連の手順に沿って粘着シート１０（粘着ラベル１１の集合）を被着体集合３に貼る。ユーザはまず、一つの第１剥離領域２１をラベルシート２から除去して、粘着シート１０の粘着層１２の一部を露出させる。この段階では、その第１剥離領域２１が跨いでいた２列を構成する複数の粘着ラベル１１（本実施形態では２×６＝１２個の粘着ラベル１１）のそれぞれについて粘着層１２の一部のみが露出する。
【００３２】
続いて、ユーザは個々の粘着ラベル１１の位置を個々の被着体３１に合わせながらラベルシート２（粘着シート１０）を被着体集合３に仮貼りし、これによりラベルシート２が、露出した粘着層１２により被着体集合３に付く。この段階では、粘着層１２のすべてが露出する粘着ラベル１１は存在しないので、どの粘着ラベル１１もラベルシート２（粘着シート１０）から離れない。したがって、ユーザはラベルシート２（粘着シート１０）をそのまま被着体集合３に貼ることができる。
【００３３】
続いて、ユーザは残りの第１剥離領域２１または第２剥離領域２４を一つずつ除去していく。具体的には、ユーザは除去済みの第１剥離領域２１に隣接する領域から一つずつ除去しながら、その除去により粘着層１２が露出した粘着シート１０の部分を被着体集合３に貼っていく。図５はその作業の一例を示し、この例ではユーザは以下の手順で粘着シート１０を被着体集合３に貼る。
（１）既に除去された第１剥離領域２１の外側に位置する第２剥離領域２４を剥がして対応部分を被着体集合３に貼る。
（２）次に、もう一つの第１剥離領域２１および最後に残った第２剥離領域２４をこの順に剥がしながら対応部分を被着体集合３に貼る。
【００３４】
もっとも、最初の第１剥離領域２１を除去してラベルシート２（粘着シート１０）を被着体集合３に貼った後にライナー２０（第１剥離領域２１および第２剥離領域２４）を剥がす手順は上記の例に限定されない。ユーザは任意の手順で第１剥離領域２１および第２剥離領域２４を除去しながら粘着シート１０を被着体集合３に貼ってよい。いずれにしても、ユーザはライナー２０を少しずつ剥がしながら最終的に粘着シート１０の全体を被着体集合３に貼ることができる。なお、表示具４０の他方の面にも情報を表示させる場合は、被着体集合３にラベルシート２（粘着シート１０）を貼付する処理を該他方の面に対して実施すればよい。
【００３５】
粘着ラベル１１の２列を跨ぐ領域を「列跨ぎ領域」というとすると、本実施形態では、すべての列跨ぎ領域に対応して第１剥離領域２１が設けられる（複数の列のそれぞれに対して少なくとも一つの第１剥離領域２１が位置する）。したがって、被着体集合３に貼られる前に粘着層１２の全体が露出する粘着ラベル１１が存在しない。いずれの粘着ラベル１１についても、その一部がライナー２０で保護されるかまたは被着体３１に既に貼られた状態で、残りのまたはさらに一部の粘着層１２が露出する。したがって、最後までどの粘着ラベル１１も粘着シート１０から離れることがなく、ユーザはすべての粘着ラベル１１を対応の被着体３１に貼ることができる。
【００３６】
粘着シート１０の全体を被着体集合３に貼ると、ユーザは図６に示すように被着体３１を被着体集合３から切り抜く。これにより、それぞれに粘着ラベル１１が貼られた複数の被着体３１、すなわち複数の表示具４０が得られる。このように、ラベルキット１は表示具４０を提供するための物品であり、粘着ラベル１１単体を提供するための物品ではない。なお、ユーザは、表示具４０を被着体集合３から切り抜く前に余白部１１ａを被着体集合３から剥がしてもよい。
【００３７】
本実施形態では表示具４０はシート状のマグネットを備えるので、ユーザはその表示具４０をスチール棚などの様々な物体に取り付けることができる。従来から、工場または倉庫では、スチール棚内の荷物の種類または在庫状況を人に伝えるためにマグネットラベルが用いられている。このような場面では非常に多くのマグネットラベルが用いられるので、従来のように個々の粘着ラベルを１枚ずつ個々のマグネットに貼り付ける作業は効率が悪い。これに対して、ラベルシート２と被着体集合３との組み合わせであるラベルキット１を用いれば、ラベルシート２内の複数の粘着ラベル１１を複数の被着体（マグネット）３１に一度に貼り付けることができるので、貼付作業に要する時間が大幅に短縮される。
【００３８】
また、ユーザは事務用または家庭用のプリンタを用いてラベルシート２（個々の粘着ラベル１１）に情報を印刷できるので、美観に優れた任意の情報が表された表示具４０を得ることができる。
【００３９】
以上説明したように、本発明の一側面に係るラベルキットは、ライナーと該ライナー上に付着された粘着シートとを備えるラベルシートであって、該粘着シートが複数の粘着ラベルと余白部とを有し、該複数の粘着ラベルが複数の列に配置された、該ラベルシートと、複数の粘着ラベルに対応して配置された複数の被着体を有する被着体集合とを備え、ライナーが、該ライナーの他の部分から分離してラベルシートから剥離することが可能な第１剥離領域を備え、第１剥離領域が、複数の列のうち隣接する少なくとも２列に跨り、かつ該少なくとも２列内の各粘着ラベルの一部のみと重なり、余白部が、少なくとも２列に跨がる領域において連続する部分を有する。
【００４０】
このような側面においては、隣接する少なくとも２列を跨ぐ第１剥離領域を剥がすことで、該少なくとも２列にある複数の被着体のそれぞれについて粘着層が一部のみ露出する。粘着ラベルの配置は被着体の配置に対応するので、第１剥離領域が剥がされたラベルシートを各粘着ラベルが各被着体と重なるように被着体集合に貼る（仮貼りする）ことで、個々の粘着ラベルの位置合わせが完了する。ここで、第１剥離領域を剥がしただけでは、粘着面の全体が露出する粘着ラベルは存在しないので、ラベルシートを被着体集合に仮貼りした際に粘着ラベルがラベルシートから離れない。また、余白部が該少なくとも２列に跨がる領域において連続するので、第１剥離領域を剥がしても該少なくとも２列がバラバラにならず、したがって、複数の粘着ラベルを一体的に取り扱うことができる。したがって、すべての粘着ラベルを対応する被着体に確実に貼ることができる。ラベルシートを被着体集合に仮貼りした後は、ライナーの他の部分を剥がしながら粘着ラベルの集合を被着体集合に貼ればよい。このように、上記のラベルキットを用いることで、粘着ラベルを１枚ずつ剥がすことなく複数の粘着ラベルを一度に（すなわち短時間で）複数の被着体に貼ることができる。
【００４１】
他の側面に係るラベルキットでは、複数の列跨ぎ領域のそれぞれに対応して第１剥離領域が位置してもよい。すべての列跨ぎ領域に対応して第１剥離領域が設けられるので、ライナーのどこを最初に剥がしても、粘着ラベルの粘着面の全体が一度に露出する事態が生じない。したがって、一つの粘着ラベルもラベルシートから離すことなくラベルシート内の粘着ラベルのすべてを被着体集合に貼ることができる。
【００４２】
他の側面に係るラベルキットでは、第１剥離領域がライナーの第１外縁から第２外縁にほぼわたって延びてもよい。このように第１剥離領域の両端を位置づけることで、その第１剥離領域を剥がした後に、該第１剥離領域に隣接するライナーの部分を簡単に剥がすことが可能になる。
【００４３】
他の側面に係るラベルキットでは、第１剥離領域の第１端および第２端がライナーの第１外縁および第２外縁とそれぞれ重なり、これにより、第１剥離領域が該第１外縁から該第２外縁にわたって延びてもよい。第１剥離領域の両端がライナーの外縁に一致するので、その第１剥離領域を剥がすと、該第１剥離領域に隣接するライナーの部分の角をつかむことが可能になる。したがって、ユーザはその角をつかんでライナーの該隣接部分を簡単に剥がすことができる。
【００４４】
以上、本発明をその実施形態に基づいて詳細に説明した。しかし、本発明は上記実施形態に限定されるものではない。本発明は、その要旨を逸脱しない範囲で様々な変形が可能である。
【００４５】
図７はラベルシートに関する様々な変形を示す。図７では各変形例に対応する被着体集合を示していないが、当然ながら、いずれの変形例でも、被着体集合を構成する複数の被着体の配置は、ラベルシートに形成された複数の粘着ラベルの配置に対応する。
【００４６】
上記実施形態のラベルシート２では第１剥離領域２１の第１端２１ａおよび第２端２１ｂがライナーの第１外縁２２および第２外縁２３とそれぞれ重なるが、第１剥離領域の第１端および第２端の少なくとも一方がライナーの外縁より内側に位置してもよい。この場合には、第１剥離領域は、ライナーの第１外縁から第２外縁にほぼわたって延びる。図７（ａ）は、この変形の一例であるラベルシート２Ａを示す。ラベルシート２Ａは、粘着ラベル１１Ａが２列に配置された粘着シート１０Ａと、その粘着シート１０Ａの粘着層を保護するライナー２０Ａとを備える。ライナー２０Ａは、その２列を跨ぐ第１剥離領域２１Ａと、この第１剥離領域２１Ａの両隣に位置する二つの第２剥離領域２４Ａとを備える。長手方向における第１剥離領域２１Ａの両端は、ライナー２０Ａの外縁より内側に位置する。なお、この例では、第１剥離領域２１Ａの端とライナー２０Ａの外縁とを結ぶ、長手方向に沿って延びる切れ目が存在するが、この切れ目は省略されてもよい。
【００４７】
第１剥離領域の縁の形状は直線に限定されず、任意の形状を採用してよい。図７（ｂ）は、この変形の一例であるラベルシート２Ｂを示す。ラベルシート２Ｂは、粘着ラベル１１Ｂが３列に配置された粘着シート１０Ｂと、その粘着シート１０Ｂの粘着層を保護するライナー２０Ｂとを備える。ライナー２０Ｂは、隣接する２列を跨ぐ二つの第１剥離領域２１Ｂと、これらの第１剥離領域２１Ｂ以外の領域を占める二つの第２剥離領域２４Ｂとを備える。第１剥離領域２１Ｂの外縁は波状を呈する。
【００４８】
第１剥離領域の縁の形状に関してさらにいうと、第１剥離領域の両側縁の形状は非対称であってもよい（すなわち、互いに異なってもよい）。また、長手方向における第１剥離領域の両端の形状も何ら限定されず、かつ、対称でも非対称でもよい。
【００４９】
第１剥離領域の長手方向は、粘着ラベルの列をどのように設定するかにより定まる。これは、第１剥離領域の長手方向が、ラベルシートをどのような向きに置くかに依存する、ともいえる。上記実施形態では、矩形のラベルシート２の外縁が水平方向および垂直方向と一致するようにラベルシート２を置くことを前提として粘着ラベル１１の列および第１剥離領域２１の長手方向を設定した。その変形として、粘着ラベルの列（第１剥離領域の長手方向）がラベルシートの外縁と交差するように該列（該長手方向）を設定してもよい。
【００５０】
図７（ｃ）は、その変形の一例である矩形のラベルシート２Ｃを示す。ラベルシート２Ｃは、３×６の配列に並べられた複数の粘着ラベル１１Ｃを備える粘着シート１０Ｃと、その粘着シート１０Ｃの粘着層を保護するライナー２０Ｃとを備える。この例では、ラベルシート２Ｃを傾けた時に縦に並ぶ１以上の粘着ラベル１１Ｃを「列」と見なし、複数のその列に従って第１剥離領域２１Ｃが設けられる。ライナー２０Ｃは、ラベルシート２Ｃの外縁に対して傾斜する方向に延びる複数の第１剥離領域２１Ｃと、これらの第１剥離領域２１Ｃ以外の領域である複数の第２剥離領域２４Ｃとを備える。
【００５１】
上記実施形態では第１剥離領域２１が隣接する２列を跨ぐが、第１剥離領域が、粘着ラベルの複数の列のうち隣接する３以上の列を跨ぐ場合もあり得る。ここで、「隣接する３以上の列」とは、横方向（幅方向）に沿って見たときに連続して存在する３以上の列を意味する。図７（ｄ）は、この変形の一例であるラベルシート２Ｄを示す。ラベルシート２Ｄは、複数の円形の粘着ラベル１１Ｄが三角格子状に配置された粘着シート１０Ｄと、その粘着シート１０Ｄの粘着層を保護するライナー２０Ｄとを備える。ライナー２０Ｄは、隣接する２列、３列、または４列を跨ぐ複数の第１剥離領域２１Ｄを備え、第２剥離領域を備えない。このように、ライナーが第１剥離領域のみを備え第２剥離領域を備えない場合もあり得る。横方向（幅方向）におけるライナー２０Ｄの両端に位置する第１剥離領域２１Ｄは隣接する２列を跨ぐ。中央の二つの第１剥離領域２１Ｄのうち一方は隣接する３列を跨ぎ、他方は隣接する４列を跨ぐ。
【００５２】
当然ながら、図７に示す様々な変形も例に過ぎず、ラベルシートおよびその構成要素について他の様々な変形が為されてもよい。例えば、複数の列跨ぎ領域のうちの一部のみに対応して第１剥離領域が存在してもよい。また、上述したように、一列当たりの粘着ラベルの個数は１でもよい。
【００５３】
図８は粘着シートの余白部に関する様々な変形を示す。上記実施形態では隣接する二つの粘着ラベル１１の間に余白部１１ａが設けられたが、隣接する二つの粘着ラベルが接してもよく、この場合、該二つの粘着ラベルの間には余白部は形成されない。しかし、このような変形においても、粘着シートの一部である余白部は、少なくとも２列に跨がる領域において連続する部分を有する。
【００５４】
図８（ａ）は、そのような変形の一例であるラベルシート２Ｅを示す。ラベルシート２Ｅは、複数の粘着ラベル１１Ｅを備える粘着シート１０Ｅと、その粘着シート１０Ｅの粘着層を保護するライナー２０Ｅとを備える。粘着シート１０Ｅでは、長手方向に沿って並ぶ複数の粘着ラベル１１Ｅ（各列を構成する複数の粘着ラベル１１Ｅ）の間に余白部１１Ｅａが形成される。その一方で、幅方向に沿って並ぶ複数の粘着ラベル１１Ｅは接し合っており、したがって、隣接する２列の粘着ラベル１１Ｅ同士の間には余白部１１Ｅａが存在しない。ライナー２０Ｅは、その２列を跨ぐ領域（列跨ぎ領域）に対応する第１剥離領域２１Ｅを備える。余白部１１Ｅａは、その列跨ぎ領域において連続する部分１１０Ｅを含む。
【００５５】
図８（ｂ）は、別の例であるラベルシート２Ｆを示す。ラベルシート２Ｆは、複数の粘着ラベル１１Ｆを備える粘着シート１０Ｆと、その粘着シート１０Ｆの粘着層を保護するライナー２０Ｆとを備える。粘着シート１０Ｆでは、長手方向に沿って並ぶ複数の粘着ラベル１１Ｆ（各列を構成する複数の粘着ラベル１１Ｆ）は接し合っており、したがって、これらの粘着ラベル１１Ｆの間には余白部１１Ｆａが存在しない。その一方で、隣接する２列の粘着ラベル１１Ｆ同士の間には余白部１１Ｆａが存在する。ライナー２０Ｆは、その２列を跨ぐ領域（列跨ぎ領域）に対応する第１剥離領域２１Ｆを備える。余白部１１Ｆａは、その列跨ぎ領域において連続する部分１１０Ｆを含む。この連続部分１１０Ｆは粘着シート１０Ｆの縁部にのみ存在する。
【００５６】
図８（ｃ）は、別の例であるラベルシート２Ｇを示す。ラベルシート２Ｇは、複数の粘着ラベル１１Ｇを備える粘着シート１０Ｇと、その粘着シート１０Ｇの粘着層を保護するライナー２０Ｇとを備える。粘着シート１０Ｇでは、長手方向に沿って並ぶ複数の粘着ラベル１１Ｇ（各列を構成する複数の粘着ラベル１１Ｇ）は接し合っており、したがって、これらの粘着ラベル１１Ｇの間には余白部１１Ｇａが存在しない。加えて、幅方向に沿って並ぶ複数の粘着ラベル１１Ｇも接し合っており、したがって、隣接する２列の粘着ラベル１１Ｇ同士の間にも余白部１１Ｇａが存在しない。ライナー２０Ｇは、その２列を跨ぐ領域（列跨ぎ領域）に対応する第１剥離領域２１Ｇを備える。余白部１１Ｇａは、その列跨ぎ領域において連続する部分１１０Ｇを含む。この連続部分１１０Ｇは粘着シート１０Ｇの縁部にのみ存在する。
【００５７】
被着体集合に対するラベルシートの位置合わせを容易にするために、ラベルシートおよび被着体集合の少なくとも一方が、位置合わせのための表示を有してもよい。この表示は印刷やエンボス加工などの任意の手法により実現可能である。
【００５８】
第１剥離領域の長手方向における途中の箇所に、該第１剥離領域を分割する分離線が形成されてもよい。例えば、第１剥離領域が長くなる場合にこの分離線を設けることで、第１剥離領域を少しずつ剥がしながらラベルシートを被着体集合に仮貼りすることができる。
【符号の説明】
【００５９】
１…ラベルキット、２，２Ａ〜２Ｇ…ラベルシート、１０，１０Ａ〜１０Ｇ…粘着シート、１１，１１Ａ〜１１Ｇ…粘着ラベル、１２…粘着層、１３〜１５…粘着ラベルの列、２０，２０Ａ〜２０Ｇ…ライナー、２１，２１Ａ〜２１Ｇ…第１剥離領域、２４，２４Ａ〜２４Ｃ…第２剥離領域、３…被着体集合、３１…被着体、４０…表示具。
【図１】
2018105933.tif 000003
【図２】
2018105933.tif 000004
【図３】
2018105933.tif 000005
【図４】
2018105933.tif 000006
【図５】
2018105933.tif 000007
【図６】
2018105933.tif 000008
【図７】
2018105933.tif 000009
【図８】
2018105933.tif 000010